(57)【要約】【課題】扉体への固定後に取付孔を確実に閉塞することにより防犯性能を高めることを目的とする。【解決手段】  扉体１に開設された取付孔２に挿通されて固定され、扉体１表面に露出する回転操作部３への回転操作により錠本体を操作する錠操作体本体４と、  雌ねじ部５により錠操作体本体４にねじ込まれるアジャスタ６と、  アジャスタ６および錠操作体本体４に空転自在に外嵌され、扉体１表面側端部に、前記アジャスタ６に直接、あるいは間接に干渉して前方への移動を規制するストッパ部７が設けられて取付孔２周縁を覆う筒状カバー８と、  筒状カバー８とアジャスタ６との間に介装され、扉体１の板厚方向に対する移動が一方に対して不能で、他方に対しては、所定の負荷下で許容されるとともに、筒状カバー８とアジャスタ６とを回転方向に連結し、筒状カバー８とアジャスタ６との相対位置が扉体１板厚方向にずれた際に連結解除するクラッチ９とを有して構成する。【選択図】  図３
2006070553.tif 000002
【特許請求の範囲】
【請求項１】
扉体に開設された取付孔に挿通されて固定され、扉体表面に露出する回転操作部への回転操作により錠本体を操作する錠操作体本体と、
雌ねじ部により錠操作体本体にねじ込まれるアジャスタと、
アジャスタおよび錠操作体本体に空転自在に外嵌され、扉体表面側端部に、前記アジャスタに直接、あるいは間接に干渉して前方への移動を規制するストッパ部が設けられて取付孔周縁を覆う筒状カバーと、
筒状カバーとアジャスタとの間に介装され、扉体の板厚方向に対する移動が一方に対して不能で、他方に対しては、所定の負荷下で許容されるとともに、筒状カバーとアジャスタとを回転方向に連結し、筒状カバーとアジャスタとの相対位置が扉体板厚方向にずれた際に連結解除するクラッチとを有する扉錠操作装置。
【請求項２】
前記アジャスタと筒状カバーのいずれか一方には、他方の対向面に対して近接する小径部と、小径部の扉体表面側端部から連続し、両者間の間隔が小径部に比して大きな大径部とが形成されるとともに、
前記クラッチは、他方に対して扉体の板厚方向に対する移動が不能で、かつ、対向面側に付勢されて装着されるとともに、小径部に対しては、回転方向に連結されて圧接され、
アジャスタと筒状カバーのいずれか一方には、前記クラッチの小径部から大径部への移動に伴うクラッチの径方向への移動により該クラッチに形成された係止部が係脱して両者を回転方向に接続、接続解除する被係止部が設けられる請求項１記載の扉錠操作装置。
【請求項３】
前記クラッチは、リング状に形成されてアジャスタに対して扉体の板厚方向に対する移動が不能に装着される請求項２記載の扉錠操作装置。
【請求項４】
扉体に開設された取付孔に挿通されて固定され、扉体表面に露出する回転操作部への回転操作により錠本体を操作する錠操作体本体、
雌ねじ部により錠操作体本体にねじ込まれるアジャスタ、
アジャスタおよび錠操作体本体に空転自在に外嵌され、内周に小径部と、小径部の扉体表面側端部から連続する大径部とを備えるとともに、扉体表面側端部に、前記アジャスタに直接、あるいは間接に干渉して前方への移動を規制するストッパ部が設けられて取付孔周縁を覆う筒状カバー、
アジャスタに外嵌されて外周が小径部に圧接するリング状に形成され、径寸法の変化によりアジャスタの被係止部に係脱して筒状カバーとアジャスタとの連結を断接する係止部を備えたクラッチ、
を有する扉錠操作装置。
【請求項５】
前記クラッチの開放端縁が係止部として使用される請求項３または４記載の扉錠操作装置。
【発明の詳細な説明】
【技術分野】
【０００１】
本発明は、扉錠操作装置に関するものである。
【背景技術】
【０００２】
扉体に開設された取付孔内に嵌合、固定されて扉錠を操作する扉錠操作装置としては、特許文献１に記載のものが知られている。この従来例において、シリンダ錠（扉錠操作体本体）には筒状の化粧リング（筒状カバー）が扉体表面側に付勢されて装着される。
【０００３】
扉体に開設された取付孔からシリンダ錠を挿入して固定した状態で、化粧リングは付勢力により端面が扉体表面に当接するまで移動するために、扉体の厚さが変化しても、常に取付孔を覆うことができる。
【特許文献１】特開２００３-１０６０１３号公報
【発明の開示】
【発明が解決しようとする課題】
【０００４】
しかし、上述した従来例において、扉体にシリンダ錠を固定した後であっても、化粧リングを付勢力に抗して前方に移動させることが可能であるために、取付孔を外部に露出させることを防止できない。この結果、取付孔の境界から扉体内方、あるいは扉体の反対面に配置される扉錠へのアクセスが可能となり、例えば、カム送り等の不正解錠操作を完全に防止できないという問題がある。
【０００５】
本発明は、以上の欠点を解消すべくなされたものであって、扉体への固定後に取付孔を確実に閉塞し、防犯性能を高めた扉錠操作装置の提供を目的とする。
【課題を解決するための手段】
【０００６】
本発明によれば上記目的は、
扉体１に開設された取付孔２に挿通されて固定され、扉体１表面に露出する回転操作部３への回転操作により錠本体を操作する錠操作体本体４と、
雌ねじ部５により錠操作体本体４にねじ込まれるアジャスタ６と、
アジャスタ６および錠操作体本体４に空転自在に外嵌され、扉体１表面側端部に、前記アジャスタ６に直接、あるいは間接に干渉して前方への移動を規制するストッパ部７が設けられて取付孔２周縁を覆う筒状カバー８と、
筒状カバー８とアジャスタ６との間に介装され、扉体１の板厚方向に対する移動が一方に対して不能で、他方に対しては、所定の負荷下で許容されるとともに、筒状カバー８とアジャスタ６とを回転方向に連結し、筒状カバー８とアジャスタ６との相対位置が扉体１板厚方向にずれた際に連結解除するクラッチ９とを有する扉錠操作装置を提供することにより達成される。
【０００７】
錠操作体本体４は、筒状カバー８が前方（扉体１表面から離隔する方向）への移動ストローク終端、あるいはその近傍に位置した状態で扉体１に開設された取付孔２に挿通され、錠本体（図示せず）を介して扉体１に固定される。この初期位置においてアジャスタ６と筒状カバー８はクラッチ９を介して回転方向と扉体１の板厚方向に連結されており、筒状カバー８を回転させると、アジャスタ６も錠操作体本体の雄ねじ部に沿って締め付けられる。
【０００８】
筒状カバー８の回転により、アジャスタ６に対して扉体１板厚方向に連結されている筒状カバー８も扉体１表面側に移動し、やがて筒状カバー８の端部が扉体１表面に当接する。この後、さらに筒状カバー８を回転させると、クラッチ９を介してアジャスタ６に回転力が伝達されるために、扉体１表面により移動が規制される筒状カバー８に対してアジャスタ６のみに扉体１板厚方向の駆動力が与えられる。
【０００９】
クラッチ９は、筒状カバー８とアジャスタ６とのいずれか一方に対する扉体１板厚方向の連結は、所定の負荷で解除可能とされているために、アジャスタ６に対する駆動力が所定値を超えると、クラッチ９の上記いずれか一方の部材に対する扉体１板厚方向の滑りが発生し、筒状カバー８とアジャスタ６との位置関係が変化する。
【００１０】
クラッチ９は、筒状カバー８とアジャスタ６との相対位置が扉体１板厚方向に変位すると、双方の回転方向の連結を解除するために、以後、筒状カバー８を回転させてもアジャスタ６に回転動力を伝達することが不能であり、加えて、この状態で筒状カバー８はアジャスタ６に係止して前方への移動が規制されるために、筒状カバー８を引き出すことができない。この結果、一旦筒状カバー８をこの状態にした後は、筒状カバー８を操作して取付孔２を出現させることができないために、取付孔２へのアクセスによる錠本体への不正解錠操作を完全に防止できる。
【００１１】
上記クラッチ９は、上述した条件を充足することを条件として種々の変形が可能であり、例えば、筒状カバー８に装着され、筒状カバー８からアジャスタ６に向けて付勢される杆状体として構成することができる。この例において、アジャスタ６には、杆状体が嵌合する凹部が形成され、さらに、凹部、あるいは杆状体の扉体１表面側の壁面には杆状体を乗り上げやすくするための斜面が形成される。
【００１２】
筒状カバー８の回転初期においては、クラッチ９は凹部に嵌合状態にあり、アジャスタ６も回転して扉体１板厚方向に移動する。筒状カバー８が扉体１表面に当接した後は、アジャスタ６に回転力が付与されて扉体１板厚方向の力が負荷されると、クラッチ９は斜面から没入方向の分力を得て一旦没入して凹部から脱出し、以後、筒状カバー８とアジャスタ６との回転方向の連結は解除される。凹部から脱出するための負荷の大きさが「所定の負荷」に対応する。
【００１３】
以上のように、扉体１板厚方向への移動により断接するクラッチ９は種々構成することが可能であるが、扉体１板厚方向への移動が規制されて装着される部材との間で断接動作をさせる際には、
前記アジャスタ６と筒状カバー８のいずれか一方には、他方の対向面に対して近接する小径部１０と、小径部１０の扉体１表面側端部から連続し、両者間の間隔が小径部１０に比して大きな大径部１１とが形成されるとともに、
前記クラッチ９は、他方に対して扉体１の板厚方向に対する移動が不能で、かつ、対向面側に付勢されて装着されるとともに、小径部１０に対しては、回転方向に連結されて圧接され、
アジャスタ６と筒状カバー８のいずれか一方には、前記クラッチ９の小径部１０から大径部１１への移動に伴うクラッチ９の径方向への移動により該クラッチ９に形成された係止部１２が係脱して両者を回転方向に接続、接続解除する被係止部１３が設けられる扉錠操作装置を構成することができる。
【００１４】
この場合、クラッチ９は扉体１板厚方向の移動に際して径方向に移動し、係止部１２と被係止部１３とが係脱してクラッチ動作が行われる。
クラッチ９はアジャスタ６と筒状カバー８のいずれでも配置することが可能であり、さらに、上述したように、杆体状に形成することも可能であるが、リング状に形成されてアジャスタ６に対して扉体１の板厚方向に対する移動が不能に装着した場合には、構造を簡単にすることができる。
【発明の効果】
【００１５】
本発明によれば、扉体１への固定後に取付孔２を確実に閉塞することができるために、防犯性能を高めることができる。
【発明を実施するための最良の形態】
【００１６】
図１から４に、扉体１の室外側壁面に取付られるシリンダ錠として構成された本発明の実施の形態を示す。シリンダ錠は、シリンダケース１４内にプラグ（回転操作部３）を回転自在に挿入したシリンダ錠本体部（錠操作体本体４）に筒状カバー８を装着して形成される。
【００１７】
プラグ３終端には連結部３ａが設けられており、扉体１に開設された取付孔２にシリンダ錠を室外側から挿入して固定すると、連結部３ａは扉体１内に固定された錠本体（図示せず）のカムに連結される。この状態でプラグ３を真正な解錠キーにより回転させると、連結部３ａを介して錠本体を施解錠操作することができる。なお、図１において３ｂはプラグ３の室外側（以下、この方向を「前方］とする。）先端に装着されたキャップを示す。
【００１８】
図２にシリンダ錠の前端部の詳細を示す。６は内周に雌ねじ部５を形成したリング状のアジャスタで、雌ねじ部５をシリンダケース１４にねじ込んで装着される。このアジャスタ６の外周には凹溝６ａが全周に渡って形成され、凹溝６ａ内にピンが前後方壁間に架設されて被係止部１３が形成される。
【００１９】
９は上記凹溝６ａ内に嵌合されるクラッチである。クラッチ９は開放端を形成することにより径方向に弾性をもたせたリング体であり、Ｃ型同心止め輪が使用される。このクラッチ９は、両開放端が上記被係止部１３を挟み付ける姿勢で装着される。
【００２０】
筒状カバー８は、上記シリンダ錠を外嵌可能な中空状の円錐体であり、中空部の後端部はさらに拡径されてクラッチ収容部１５が形成される。クラッチ収容部１５は、小径部１０と、この小径部１０の前端から連続し、小径部１０に比して径寸法の大きな大径部１１とからなる。小径部１０の径寸法は、上記クラッチ９の外径寸法より小径に形成される。また、小径部１０の後端には、アジャスタ６が嵌合可能で、クラッチ９が干渉する内径を有するストッパ部７が張り出される。
【００２１】
図１、図３（ａ）に示すように、筒状カバー８をセットしない初期状態においては、クラッチ９は小径部１０に対応しており、拡径方向の付勢力により小径部１０内周壁に圧接する。また、初期状態において、クラッチ９の両開放端は被係止部１３に対峙する。
【００２２】
したがって、初期状態においては、筒状カバー８とクラッチ９とは、クラッチ９外周が筒状カバー８の小径部１０内周壁に圧接しているために、回転方向、前後方向ともに相互に連結される。また、クラッチ９とアジャスタ６とは、クラッチ９が凹溝６ａ内に嵌合するために、前後方向に移動不能に連結され、同時に、被係止部１３は開放端の移動軌跡に干渉するために、回転方向にも連結される。
【００２３】
この状態から筒状カバー８を締め付け方向に回転させると、クラッチ９の開放端を係止部１２としてアジャスタ６側の被係止部１３に係止するために、図３（ｂ）にように、アジャスタ６も回転し、アジャスタ６は筒状カバー８とともに後方に移動する。さらに筒状カバー８を回転させると、やがて筒状カバー８の後端面が扉体１表面に当接し、取付孔２が完全に覆われる。
【００２４】
この後、さらに筒状カバー８を回転させると、筒状カバー８は扉体１表面により後方への移動が規制されているのに対し、クラッチ９を介してトルクが伝達されるアジャスタ６には後方への駆動力が発生する。アジャスタ６への筒状カバー８に対する後方への駆動力は、クラッチ９外周と筒状カバー８内周壁との間のスラスト方向の滑り力として作用する。この状態からさらに筒状カバー８に回転力を付与すると、力の均衡が破れ、クラッチ９は筒状カバー８の小径部１０内周壁を滑って大径部１１側に移動する。スラスト方向の滑りに先立って回転方向の滑りが発生しないように、必要に応じ、クラッチ９外周と筒状カバー８とをスラスト方向に移動自在な係止関係が作られる。
【００２５】
大径部１１においては、クラッチ９の外方への拡開方向の拘束が解除されるために、図３（ｃ）に示すように、クラッチ９は拡径し、係止部１２として作用していた開放端が被係止部１３に干渉しない位置まで退避する。
【００２６】
この状態において、筒状カバー８とアジャスタ６との回転方向への連結は解除されるために、筒状カバー８に締め込み解除側の回転力を与えても、筒状カバー８は空転するだけで、前方、すなわち、取付孔２が現れる方向に移動させることはできない。また、このとき、図４に示すように、筒状カバー８のストッパ部７はクラッチ９の後端面に当接するために、筒状カバー８を前方に引っ張って移動させることもできない。
【図面の簡単な説明】
【００２７】
【図１】本発明を示す図で、（ａ）は（ｂ）の１Ａ-１Ａ線断面図、（ｂ）は正面図である。
【図２】筒状カバーを示す図で、（ａ）は断面図、（ｂ）は（ａ）の２Ｂ-２Ｂ線断面図である。
【図３】本発明の動作を示す図２（ａ）の２Ｂ-２Ｂ線断面図で、（ａ）は初期状態、（ｂ）は筒状カバーの締め込み途上、（ｃ）は締め込み完了状態を示す。
【図４】筒状カバーの装着が完了した状態の断面図である。
【符号の説明】
【００２８】
１        扉体
２        取付孔
３        回転操作部
４        錠操作体本体
５        雌ねじ部
６        アジャスタ
７        ストッパ部
８        筒状カバー
９        クラッチ
１０      小径部
１１      大径部
１２      係止部
１３      被係止部
【図１】
2006070553.tif 000003
【図２】
2006070553.tif 000004
【図３】
2006070553.tif 000005
【図４】
2006070553.tif 000006